(57)【特許請求の範囲】
【請求項１】
第１のコネクタを備えた第１の基板と、
前記第１の基板に並行して配置され、前記第１のコネクタに接続する第２のコネクタを備えた第２の基板と、
前記第２の基板の設置位置に応じて立設され、前記第２の基板の側面側の一部に当接させて前記第１のコネクタと前記第２のコネクタとの嵌合位置に前記第２の基板をガイドする胴体部と、前記第２の基板の上面側に突出され、前記第１のコネクタに対して前記規定角度を超えて前記第２の基板の一部が持上げられるのを阻止し、前記規定角度を超えて傾斜した前記第２のコネクタが前記第１のコネクタに接続されるのを阻止する突出部とを有する挿抜治具と、
を備えるコネクタ装置。
【請求項２】
さらに、筐体と、
前記第２の基板を載置させ、前記第１の基板に対する配置高さを保持する１または複数の載置手段を備え、
前記挿抜治具は、前記載置手段を介して前記筐体または前記第１の基板に固定される、
請求項１に記載のコネクタ装置。
【請求項３】
前記突出部は、コネクタ接続された前記第２の基板に対して、前記規定角度に基づいて設定された高さに形成される、請求項１または請求項２に記載のコネクタ装置。
【請求項４】
前記挿抜治具は、前記第２の基板に対し、前記第２のコネクタの長手方向または短手方向のいずれか一方または両方に離間した位置に立設される、
請求項１ないし請求項３のいずれかに記載のコネクタ装置。
【請求項５】
前記胴体部は、前記第１の基板に接続される前記第２の基板の一部が接触され、該接触部分を中心に前記第２のコネクタが前記第１のコネクタに対して回動される、請求項１ないし請求項４のいずれかに記載のコネクタ装置。
【請求項６】
前記挿抜治具は、前記突出部の配置高さを設定可能にする高さ設定機構を備える、
請求項１ないし請求項５のいずれかに記載のコネクタ装置。
【請求項７】
挿抜部材の配置位置に応じて立設され、挿抜部材の側面側の一部に当接させてガイドする胴体部と、
前記挿抜部材の上面側に突出され、被挿抜部材に対して規定角度を超えて挿抜部材の一部が持上げられるのを阻止し、該規定角度を超えて傾斜した前記挿抜部材が前記被挿抜部材に接続されるのを阻止する突出部と、
を備える挿抜治具。
【請求項８】
前記突出部は、
被挿抜部材との対向面側に形成され、持上げられた挿抜部材の上面側の一部に接触して抜取りを阻止する抜取り阻止底部と、
前記挿抜部材の前記規定角度を超えて持ち上げられた端部側の一部に接触させ、前記挿抜部材と前記被挿抜部材との接続を阻止する阻止辺部と、
を備える請求項７に記載の挿抜治具。
【請求項９】
筐体と、
前記筐体に設置され、第１のコネクタを備えた第１の基板と、
前記第１の基板に並行して配置され、前記第１のコネクタに接続する第２のコネクタを備えた第２の基板と、
前記第２の基板の配置位置に応じて立設され、前記第２の基板の側面側の一部に当接させて前記第１のコネクタと前記第２のコネクタとの嵌合位置に前記第２の基板をガイドする胴体部と、前記第２の基板の上面側に突出され、前記第１のコネクタに対して前記規定角度を超えて前記第２の基板の一部が持上げられるのを阻止し、前記規定角度を超えて傾斜した前記第２のコネクタが前記第１のコネクタに接続されるのを阻止する突出部とを有する挿抜治具と、
を備える電子機器。
【発明の詳細な説明】
【技術分野】
【０００１】
本発明は、基板同士を接続するコネクタが規定角度を超えて挿抜されるのを規制する挿抜治具を備えたコネクタ装置や電子機器の挿抜構造に関する。
【背景技術】
【０００２】
電子機器には、たとえば装置全体の小型化や多機能化を図るために、小型化された複数枚の基板が設置され、これらの基板同士を多ピンのコネクタ構造によって電気的に接続されるものが知られている。このような基板同士の接続には、たとえばコネクタが形成されたケーブルが用いられるほか、各基板に設置されたコネクタ同士を直接接続することが知られている。
【０００３】
コネクタによる接続構造では、コネクタを構成するピンの損傷を防止するために、基板の設置操作や抜取り操作において、コネクタ間に一定以上の角度が生じないようにすることが知られている。
【０００４】
このような基板のコネクタ接続構造に関し、一方の基板のコネクタが支持枠と押圧板で挟持して支持され、接続先の基板のコネクタの周囲に対し、支持枠に設置された六角ボルトによって固定されるものが知られている。（例えば、特許文献１）
【先行技術文献】
【特許文献】
【０００５】
【特許文献１】特開２００７−１７９８５３号公報
【発明の概要】
【発明が解決しようとする課題】
【０００６】
ところで、基板に構成されたコネクタ同士を嵌合させて接続するコネクタ構造では、ケーブルを利用した場合と異なり、基盤同士の角度がコネクタ同士の接続角度となる。そのため、このようなコネクタ構造では、たとえば電子装置の組立てや解体時に基板同士を大きく傾けた場合、コネクタ同士の接続角度も大きくなり、嵌合するコネクタに直接影響を及ぼす。
【０００７】
図２８および図２９に示すコネクタ装置２００には、多ピンで構成されたコネクタ２０２、２０４同士が嵌合状態となった基板２０６、２０８が示されている。このコネクタ装置２００には、たとえば図２８に示すコネクタの短手方向で挿抜する場合と、図２９に示すコネクタの長手方向で挿抜する場合とで、それぞれコジリ角α、コジリ角βが設定されている。このコジリ角αおよびコジリ角βは、コネクタ２０２、２０４の接続制限角度として設定されており、この角度以上でコネクタ２０２、２０４同士が挿入または抜き取られると、内部に配置されたピンに折損が生じ、電気的な接続が行えなくなるおそれがある。コネクタ２０２、２０４のコジリ角αは、たとえば２〔°〕以下に設定され、コジリ角βは、たとえば７〔°〕以下に設定されている。
【０００８】
電子装置の組立てや解体作業では、たとえば基板同士のコネクタ接続が作業者の手で行われる場合がある。このような作業では、コネクタの嵌合状態を目視により確認するために、作業者によりコネクタから離れた位置で基板が把持されて挿抜操作が行われるおそれがある。特に、コネクタ同士を直接嵌合させる基板では、たとえば嵌合状態の確認を容易化するためにコネクタが基板の淵縁側に形成されたものがある。そのため、コネクタから離れた位置を把持して挿抜作業が行われると、コネクタ間の角度は、容易にコジリ角を越えた状態となるという課題がある。
【０００９】
さらに、多数のピンで構成されるコネクタは、嵌合力が強いために抜去作業には相当の力を要する。作業者が抜去時に力を加えすぎると、コネクタが外れたときにプリント基板に対しても過大な力が加えられ、プリント基板自体を損傷させるおそれもある。したがって、コネクタ接続の作業には、熟練した技術が必要であるという課題がある。
【００１０】
そこで、本開示のコネクタ装置、挿抜治具および電子機器の目的は、上記課題に鑑み、コネクタ接続する基板において、コネクタの挿抜角度を規定角度以内に制限させることにある。
【課題を解決するための手段】
【００１１】
上記目的を達成するため、本開示の構成は、第１のコネクタを備えた第１の基板と、前記第１の基板に並行して配置され、前記第１のコネクタに接続する第２のコネクタを備えた第２の基板と、挿抜治具とを備える。挿抜治具は、前記第２の基板の設置位置に応じて立設され、前記第２の基板の側面側の一部に当接させて前記第１のコネクタと前記第２のコネクタとの嵌合位置に前記第２の基板をガイドする胴体部と、前記第２の基板の上面側に突出され、前記第１のコネクタに対して前記規定角度を超えて前記第２の基板の一部が持上げられるのを阻止し、前記規定角度を超えて傾斜した前記第２のコネクタが前記第１のコネクタに接続されるのを阻止する突出部とを有する。
【発明の効果】
【００１２】
本開示のコネクタ装置、挿抜治具または電子機器によれば、次のような効果が得られる。
【００１３】
(1)  一部分が持ち上げられた基板に対して挿抜治具が接触することで、基板同士が規定角度を超えるのを阻止でき、嵌合している多ピンコネクタの損傷を防止できる。
【００１４】
(2)  また、規定角度を超えて配置される基板に対し、挿抜治具の突出部を接触させて基板同士のコネクタ接続を阻止することで規定角度を超えて挿抜を阻止でき、コネクタおよびこのコネクタを備えた基板の破損を防止できる。
【００１５】
(3)  簡易な構造の挿抜治具により、挿抜されるコネクタを嵌合位置にガイドでき、かつ基板の接触角度が規定角度以内に規制され、挿抜作業の適正化および容易化が図れる。
【図面の簡単な説明】
【００１６】
【図１】第１の実施の形態に係る挿抜治具を備えたコネクタ装置の構成例を示す図である。
【図２】挿抜治具の外観構成例を示す斜視図である。
【図３】挿抜治具の高さ設定例を示す図である。
【図４】挿抜治具の構成例を示す図である。
【図５】コネクタの構成および嵌合状態の一例を示す図である。
【図６】基板の抜取りをコネクタの短手方向から示した図である。
【図７】基板の抜取りをコネクタの短手方向から示した図である。
【図８】基板の設置手順をコネクタの短手方向から示した図である。
【図９】基板の設置手順をコネクタの短手方向から示した図である。
【図１０】規定角度以上で設置された基板と挿抜治具との状態例を示す図である。
【図１１】規定角度以上で設置された基板と挿抜治具との状態例を示す図である。
【図１２】コネクタ装置の構成例をコネクタの長手方向から示した図である。
【図１３】基板の抜去状態例をコネクタの長手方向から示した図である。
【図１４】基板の抜去状態例をコネクタの長手方向から示した図である。
【図１５】基板の設置手順の一例を示す図である。
【図１６】第２の実施の形態に係る電子装置の一例を示す分解図である。
【図１７】電子装置に基板が設置された状態例を示す図である。
【図１８】コネクタの短手方向に第２の基板を傾斜させた状態を示す図である。
【図１９】コネクタの長手方向に第２の基板を傾斜させた状態を示す図である。
【図２０】第３の実施の形態に係る電子装置の構成例を示す図である。
【図２１】第４の実施の形態に係る電子装置の構成例を示す図である。
【図２２】第５の実施の形態に係る挿抜治具の構成例を示す図である。
【図２３】挿抜治具の他の構成例を示す図である。
【図２４】挿抜治具の他の構成例を示す図である。
【図２５】挿抜治具を備えたコネクタ装置の構成例を示す図である。
【図２６】挿抜治具の他の構成例を示す図である。
【図２７】挿抜治具の他の構成例を示す図である。
【図２８】コネクタ装置の従来例を示す図である。
【図２９】コネクタ装置の従来例を示す図である。
【発明を実施するための形態】
【００１７】
〔第１の実施の形態〕
【００１８】
図１は、第１の実施の形態に係るコネクタ装置の構成例を示している。図１に示す構成は一例であり、斯かる構成に本開示のコネクタ装置、挿抜治具および電子装置が限定されるものではない。
【００１９】
図１に示すコネクタ装置２は、コネクタ接続によって機能部品同士が接続される装置であって、第１のコネクタ４が設置された第１の基板６と、第２のコネクタ８が設置された第２の基板１０、および挿抜治具１２を備えている。このコネクタ装置２は、たとえば複数枚のプリント基板が設置されたＰＣ（Personal Computer）や通信機器、放送用機器などの電子機器の一例である。
【００２０】
第１の基板６は、被挿抜部材であり、コネクタ接続される他の基板に対する制御機能や連動して機能する機能部品の一例である。この第１の基板６は、コネクタ装置２の筐体１８などに固定され、たとえば淵縁側において上方に向けて第１のコネクタ４が設置されている。
【００２１】
また、第１の基板６の上面側には、筐体１８と第１の基板６とを固定するとともにコネクタ接続された第２の基板１０の載置手段としてスペーサ１４が設置されている。このスペーサ１４は、第２の基板１０の配置位置に応じて１または複数個設置されている。第２の基板１０は、スペーサ１４に載置されることで第１の基板６に対して一定の配置高さが保持されている。スペーサ１４には、たとえば図示しない貫通孔が形成されており、第２の基板１０を貫通した締結部品１６が挿入されることで、第２の基板１０を固定している。この締結部品１６は、たとえば螺子部材やラッチ部材で形成されている。スペーサ１４の貫通孔には、締結部品１６に応じてたとえば螺子溝などが形成されている。
【００２２】
第２の基板１０は、第１の基板６に対する挿抜部材であり、コネクタ装置２の特定の機能が搭載された機能部品の一例である。この第２の基板１０は、たとえば接続される第１の基板６に対して同等または小幅な大きさで形成され、淵縁部側の一部に第２のコネクタ８が設置されている。コネクタ接続された第２の基板１０は、既述のスペーサ１４に載置されることで、第１の基板６の上面側に、第１の基板６と並行に配置される。また、第１の基板６に対する第２の基板１０の配置位置は、第１のコネクタ４の設置位置によって決定される。
【００２３】
挿抜治具１２は、第２の基板１０の着脱を規制する手段の一例である。この挿抜治具１２は、第２の基板１０の設置位置に応じて立設され、着脱される第２の基板１０の一部に接触する。挿抜治具１２は、たとえば第２の基板１０の配置位置の周辺部であって、第２のコネクタ８の設置位置に対して一定の距離だけ離間した位置に設置されている。この挿抜治具１２の設置位置は、第２のコネクタ８を回転中心に第２の基板１０が挿抜されるのを阻止するように設定される。より具体的には、挿抜治具１２は、たとえば第２の基板１０に対し、第２のコネクタ８が設置された位置から短手方向に対向した端部側に設置されている。
【００２４】
挿抜治具１２は、たとえば第１の基板６とコネクタ接続された第２の基板１０の側面部に接触させ、または近接させて、コネクタ同士の接続位置に第２の基板１０を配置するようにガイドしている。また、この挿抜治具１２は、たとえば第１の基板６とスペーサ１４との間に挟持されて固定される。
【００２５】
なお、挿抜治具１２は、第１の基板６に固定される場合に限られず、たとえばコネクタ装置２の筐体１８に固定されてもよい。また、第１のコネクタ４または第２のコネクタ８は、第１の基板６または第２の基板１０の淵縁側に形成される場合に限られない。これらのコネクタ４、８は、基板の中央側の一部に形成されてもよい。
【００２６】
図２ないし図４は、挿抜治具１２の外観構成例を示している。図２ないし図４に示す構成は一例であり、斯かる構成に本発明が限定されるものではない。
【００２７】
図２に示す挿抜治具１２は、たとえば挿抜部材である第２の基板１０の側面側に近接して配置される胴体部２０と、胴体部２０の上部側に連設され、第２の基板１０の一部を覆うように突出する突出部２２とが形成されている。また、この挿抜治具１２には、胴体部２０の下部側に脚部３０が形成されている。挿抜治具１２は、たとえば金属材料が用いられており、胴体部２０、突出部２２および脚部３０が一体に成形されている。
【００２８】
胴体部２０は、挿抜部材である第２の基板１０を所定の配置位置に位置決めさせるガイド手段である。この胴体部２０は、たとえば第１の基板６に対して配置される第２の基板１０の側面部が当接されて、第２の基板１０の移動を阻止する。
【００２９】
突出部２２は、第２の基板１０が第１の基板６に対して規定のコジリ角を超えて着脱されるのを阻止する手段である。この突出部２２は、たとえば胴体部２０の上方側の一部が前方側に折り返され、逆「Ｊ」の字形に形成されている。この突出部２２には、たとえば下方側に向けて形成された阻止底部２４、前面に形成された阻止辺部２６と、載置部２８とが形成されている。
【００３０】
阻止底部２４は、たとえば図３に示すように挿抜治具１２が配置された側の一部分のみが持上げられた第２の基板１０の上面に接触させて、第２の基板１０の取り外しを阻止する。この阻止底部２４は、持ち上げられた第２の基板１０と第１の基板６との間の角度αがたとえばコジリ角以内になる高さに形成されている。これにより挿抜治具１２は、第２のコネクタ８が第１のコネクタ４に対して規定角度を超えて嵌合状態となるのを阻止することができる。
【００３１】
阻止辺部２６は、第１の基板６に対して規定のコジリ角を超えて傾斜された第２の基板１０がコネクタ接続されるのを阻止する手段である。この阻止辺部２６は、胴体部２０よりも第１のコネクタ４側に向けて突出されている。そしてコジリ角を超えて傾斜した第２の基板１０は、その側面の一部が阻止辺部２６に接触する。これにより第２の基板１０は、第１のコネクタ４と第２のコネクタ８とが嵌合するように設定された位置からずれて配置される。したがって、挿抜治具１２は、第２のコネクタ８が第１のコネクタ４に対して嵌合させるのを阻止することができる。
【００３２】
載置部２８は、突出部２２の天井側に形成され、一定の角度以上で傾斜して配置された第２の基板１０の一部を載置させる手段である。阻止辺部２６に接触するよりも大きく傾斜してコネクタ装置２に配置された第２の基板１０は、たとえば傾斜した一端が載置部２８に載置される。このとき、第１のコネクタ４と第２のコネクタ８は、嵌合不能な角度で接触している。そして、この挿抜治具１２は、載置された第２の基板１０の一端側が第１の基板６側に押し下げられるのを阻止する。これにより、大きく傾斜して配置された第２のコネクタ８は、第１のコネクタ４に対して嵌合するのを阻止される。
【００３３】
脚部３０は、たとえば胴体部２０の下部側に一体に形成され、第１の基板６またはコネクタ装置２の筐体１８に固定される。脚部３０の下側の先端部分には、たとえば挿抜治具１２の載置面に対して平行になるように形成された固定面３２が形成されている。この固定面３２には、たとえば貫通孔３４が形成されている。
【００３４】
図３または図４に示すコネクタ装置２では、挿抜治具１２が第１の基板６の表面側に載置され、固定面３２上にスペーサ１４が配置されている。このとき、挿抜治具１２は、たとえばスペーサ１４に形成された図示しない固定軸が貫通孔３４に貫通されている。スペーサ１４の固定軸には、たとえば一部または全部に螺子などが形成されており、挿抜治具１２および第１の基板６を介して筐体１８に締結されている。
【００３５】
脚部３０は、たとえばコネクタ接続された第２の基板１０の側面部に対して、胴体部２０が接触可能な位置に配置されるように長さが設定されている。すなわち脚部３０の長さは、たとえばスペーサ１４および第１のコネクタ４と第２のコネクタ８とが嵌合したときの高さに応じて設定されている。
【００３６】
図４に示す挿抜治具１２の突出部２２の突出量ａは、第１のコネクタ４から挿抜治具１２までの距離をＬとし、コジリ角をαとすると、たとえば以下の式で算出される。
【００３７】
ａ≧L×（１−cosα）                      ・・・（１）
この突出量aは、コジリ角αで持上げられた第２の基板１０に対して、阻止底部２４が確実に接触可能な位置になるように設定される。
【００３８】
また配置された第２の基板１０から突出部２２までの高さｂは、たとえば以下の式で算出される。
【００３９】
ｂ≦＝L×sinα                            ・・・（２）
高さｂは、たとえば第２のコネクタ８を中心に第２の基板１０を取りはずし方向に回動させたときの円弧距離に近似される。したがって突出部２２の阻止底部２４は、第１のコネクタ４と第２のコネクタ８との間に規定したコジリ角αに基づいて高さが設定される。
【００４０】
なお、図３および図４に示す挿抜治具１２の各部の長さおよび高さなどの算出原理は、たとえば挿抜治具１２が第２のコネクタ８を短手方向からみて平行に配置された場合に限られない。たとえば挿抜治具１２が第２のコネクタ８の長手方向からみて平行に配置された場合も同様の算出原理を利用すればよい。
【００４１】
また、挿抜治具１２の突出部２２の高さの算出について、図３および図４では、第２のコネクタ８の短手方向に対するコジリ角αを利用して算出したが、たとえば長手方向に対して設定されるコジリ角βを利用して算出してもよい。この場合、挿抜治具１２の寸法設定の算出には、たとえばコネクタの長手方向または短手方向に設定されたコジリ角αまたはコジリ角βについて、小さい値が設定された方向の角度を利用すればよい。
【００４２】
図５は、コネクタの構成例を示している。
【００４３】
図５に示す第１のコネクタ４および第２のコネクタ８には、たとえばＢＧＡ（Ball Grid Array）技術により、内部に多数のピンが整列して設置されている。これらのコネクタ４、８の内部には、たとえばピン同士を固定し、所定の間隔で配列させるピンガイド４０、４４が多数配置されている。ピンガイド４０、４４は、たとえば樹脂材料などで形成され、ピンと導通しない構造となっている。各コネクタ４、８には、周囲に樹脂製のケース部４２、４６が備えられている。
【００４４】
第１のコネクタ４のケース部４２には、たとえば短手側の一辺または両辺に第２のコネクタ８のケース部４６の一部が挿入される係止凹部４８が形成されている。また、第２のコネクタ８のケース部４６には、短手側の一辺または両辺に、ケース部４２の係止凹部４８内に挿入させる係止凸部５０が形成されている。そして、この係止凸部５０と係止凹部４８は、コネクタ４、８同士が所定の角度以上に傾斜された場合、たとえばケース部４２、４６同士が接触することで係止できない構造となっている。この所定の角度は、既述のコジリ角よりも大きく、たとえばケース部４２、４６の内部のピン同士が接触できない状態に傾斜した角度である。
【００４５】
なお、係止凹部４８および係止凸部５０は、図５に示す構成に限られない。たとえば第１のコネクタ４側に係止凸部が形成され、第２のコネクタに係止凹部が形成されてもよい。
【００４６】
図６は、コネクタ装置２から基板が抜き取られる状態例を示している。このコネクタ装置２の挿抜治具１２は、第１のコネクタ４の長手方向に対して平行に設置されている。
【００４７】
図６に示すコネクタ装置２は、たとえば第２の基板１０の淵縁部に第２のコネクタ８が設置されている。挿抜治具１２は、たとえば第２の基板１０に対し、第２のコネクタ８が設置された端部に対して他端側に近接し、または接触して立設されている。
【００４８】
＜コネクタの短手方向に対する抜去状態＞
【００４９】
図６に示すコネクタ装置２では、たとえば第２のコネクタ８の周辺部分、または第２のコネクタ８に近接した基板部分が把持され、Ｘ１方向に向けて持ち上げられることで抜去作業が行われている。第２の基板１０は、たとえば挿抜治具１２の胴体部２０または第２の基板１０が載置された挿抜治具１２周辺のスペーサ１４が回転軸となり、コネクタ８側が持ち上げられる。このとき第２のコネクタ８には、第２の基板１０の近接位置からＸ１方向に向けて力が加えられ、第１のコネクタ４との嵌合が解除される。
【００５０】
この第１のコネクタ４および第２のコネクタ８は、たとえば第２のコネクタ８の周辺部において抜去方向への力が加えられた場合、持上げられる第２の基板１０が規定されたコジリ角を超える前に嵌合状態が解除される。そして、第２のコネクタ８の周辺部が持ち上げられたことにより、コネクタ４、８同士の接触が解除されるので、ピンの折損が回避される。たとえば第１のコネクタ４に形成された係止凹部４８および第２のコネクタ８に形成された係止凸部５０は、規定のコジリ角に応じて挿入される長さが設定されている。
【００５１】
また、抜去作業において、第２の基板１０は、第２のコネクタ８が設置された端部に対して他端側に立設された挿抜治具１２に側面部が当接される。これにより、第２の基板１０は、Ｘ１方向に加えられた力によって、たとえば水平方向に移動するのを阻止され、所定の配置位置に保持される。
【００５２】
これにより、第１のコネクタ４および第２のコネクタ８には、たとえばコネクタ接続が解除される前に水平方向に対して無理な力がかかるのを阻止し、またはコジリ角を超える前に接続が解除されるので、コネクタや基板への損傷を防止できる。
【００５３】
図７は、第２の基板１０において、第２のコネクタ８の対向側が持ち上げられた状態例を示している。
【００５４】
図７に示すコネクタ装置２では、第２のコネクタ８から離間した、たとえば第２のコネクタ８に対向する位置で第２の基板１０が把持され、Ｘ２方向に向けて持ち上げられている。第２の基板１０は、たとえば第１のコネクタ４を軸として回動方向に力を受けている。このとき第２のコネクタ８は、たとえば嵌合している第１のコネクタ４に対して所謂、梃子の作用点となっている。これにより、第２のコネクタ８は、第２の基板１０に加えられたＸ２方向の力により第１のコネクタ４に対して一部側が持ち上げられ、他部側が第１のコネクタ４側に押し付けられている。
【００５５】
このコネクタ装置２では、第２のコネクタ８から離間した位置で第２の基板１０の平面部の一部に挿抜治具１２を接触させ、第２の基板１０が規定角度以上に持上げられるのを阻止している。挿抜治具１２の突出部２２（図４）は、既述のように、一部が持ち上げられた第２の基板１０の傾斜角度が規定されたコジリ角α以内で接触する高さに設定されている。これにより第１のコネクタ４および第２のコネクタ８は、第２の基板１０が傾斜して持上げられた場合でも内蔵されたピンが折損されるのを回避できる。
【００５６】
持上げられた第２の基板１０が挿抜治具１２に接触したとき、第２のコネクタ８は、第１のコネクタ４との嵌合状態を解除させない構成である。これにより、第２の基板１０の抜去には、必ず基板のコネクタ側を持上げさせることになり、第２のコネクタ８が第１のコネクタ４に対して傾斜状態となるのを防止している。
【００５７】
＜コネクタの短手方向に対する挿入状態＞
【００５８】
図８および図９は、基板の設置手順の一例を示している。
【００５９】
図８に示すコネクタ装置２では、第１の基板６に対して配置された第２の基板１０について、たとえば第２のコネクタ８が設置された端部に対して他端側が、第２のコネクタ８側と略平行または低く傾斜させて配置作業が行われている。
【００６０】
この設置処理では、たとえば第２の基板１０のコネクタ８から離間した端部側を挿抜治具１２の胴体部２０に当接するように、突出部２２の下側に挿通させる。この設置操作により第２のコネクタ８は、たとえば第１のコネクタ４側に向けてＸ３方向に移動する。挿抜治具１２は、既述のように第２の基板１０がコネクタ接続されたときに配置される位置に応じて立設されている。そのため、挿抜治具１２に第２の基板１０が当接されたとき第２のコネクタ８は、たとえば第１のコネクタ４の直上付近に配置される。
【００６１】
次に、図９に示すように、挿抜治具１２に当接させた第２の基板１０の一端側は、第１の基板６側に向けて下ろされ、スペーサ１４に載置される。また、第２の基板１０のコネクタ８側は、さらにＸ４方向に向けて押し下げられる。これにより第２のコネクタ８は、第１のコネクタ４に嵌合され、第２の基板１０の設置処理が完了する。
【００６２】
この設置処理において、第２の基板１０のコネクタ８がＸ４方向に押し下げられたことにより、たとえばスペーサ１４に載置された他端が持ち上がった場合、挿抜治具１２は、たとえば図７に示すように、持ち上がった第２の基板１０の他端側に接触する。これにより、挿抜治具１２は、たとえば第２のコネクタ８側の端部に対して大きな力が加えられることにより、他端側が跳ね上げられた場合でも、第２の基板１０がコジリ角以上に傾斜するのを阻止する。
【００６３】
図１０は、規定角度以上で傾斜した基板が設置された状態例を示している。
【００６４】
図１０に示す基板１０は、たとえばコネクタ８が設置された端部に対して他端側がコネクタ８よりも持上げられた状態でコネクタ装置２に配置されている。そして、基板１０は、コネクタ８との対向側の端部を挿抜治具１２の突出部２２の下側に挿通させずにコネクタ８をコネクタ４側に配置させている。
【００６５】
第１の基板６と第２の基板１０との間の傾斜角度α２は、規定のコジリ角αを超えた角度であって、たとえば過大に押圧することによって第１のコネクタ４と第２のコネクタ８とのピンが接触され得る範囲の角度である。このとき、コネクタ４、８では、たとえば係止凹部４８と係止凸部５０とが係止状態となるが、内部のピンやピンガイド４０、４４に対して過大な曲げ応力が掛かり、折損する状態となっている。
【００６６】
そこで、図１０に示すコネクタ装置２では、角度α２の範囲に傾斜した基板１０の端部に対して、挿抜治具１２の阻止辺部２６を接触させている。この阻止辺部２６の長さｃは、角度α２の範囲にある基板１０が接触可能な長さに設定されている。
【００６７】
このコネクタ装置２では、ピン同士が接触して折損するおそれがある角度α２に傾斜した第２の基板１０に対して、第２のコネクタ８と第１のコネクタ４とが嵌合できない位置に配置させている。即ち、挿抜治具１２の阻止辺部２６に接触した基板１０は、突出部２２の突出量ａの分だけ配置位置がずれることになる。そのため基板１０は、コネクタ８の挿抜中心Ｏ２がコネクタ４の挿抜中心Ｏ１に対してたとえば突出量ａ分だけずれて配置される。これにより挿抜治具１２は、角度α２で傾斜した基板１０のコネクタ８がコネクタ４に対して無理に嵌合されるのを阻止している。
【００６８】
図１１は、規定角度以上で傾斜した基板が設置された状態例を示している。
【００６９】
図１１に示す基板１０は、たとえばコネクタ８が設置された端部に対して他端側が、傾斜角度α３でコネクタ８側の端部よりも持ち上げられた状態でコネクタ装置２に配置されている。この傾斜角度α３は、既述の傾斜角度α２よりも大きな値であって、たとえばコネクタ４、８の係止凸部５０が係止凹部４８に挿入できない角度が設定されている。この傾斜角度α３で接近させたコネクタ４、８では、たとえばケース部４２、４６の一部が接触してピン同士が接触しない状態となる。
【００７０】
このコネクタ装置２では、角度α３に傾斜させた基板１０を、挿抜治具１２の載置部２８に載置させる。そして挿抜治具１２は、過大に傾斜して配置された第２の基板１０の一端側が第１の基板６側に向けて押し下げられるのを阻止している。このとき、第２のコネクタ８側の端部は、第１の基板４側に押し下げられ、第２のコネクタ８は第１のコネクタ４の一部に接触している。これにより、コネクタ装置２では、たとえば挿抜治具１２により第２の基板１０の押し下げが阻止されるので、接触したコネクタ４、８を回動軸Ｏ３として、ピン同士が回動方向に強引に押込まれるのを防止することができる。
【００７１】
次に、図１２は、コネクタ装置を図１のＡ矢視方向から視た、コネクタの長手方向側を示している。図１２に示す構成は一例であり、斯かる構成に本発明が限定されるものではない。
【００７２】
図１２に示すコネクタ装置２では、第２の基板１０において、たとえば長手方向から示す第２のコネクタ８が設置された端部に対して他端側から第２のコネクタ８側に向けて挿抜治具１２が設置されている。この挿抜治具１２は、たとえばコネクタ４、８の長手方向へのコジリ角を超えて第２の基板８が挿抜されるのを規制する手段である。
【００７３】
＜コネクタの長手方向に対する抜去状態＞
【００７４】
図１３および図１４は、基板の抜去状態を示している。
【００７５】
挿抜治具１２の突出部２２は、たとえば長手方向に一定の長さＥで形成されている。このコネクタ装置２の長手方向におけるコネクタのコジリ角の規制では、突出部２２の長さＥを利用している。
【００７６】
図１３に示す基板１０は、たとえばコネクタ８の長手方向に対向する端部側が把持され、上方のＸ５−１方向に持上げられている。このとき、基板１０は、コネクタ４、８またはコネクタ４、８に近接したスペーサ１４の載置面を中心にして回動方向に力が加えられる。そして、コネクタ８は、基板１０の傾斜に応じて一部がコネクタ４との嵌合が解除された状態となり、他の部分が接続状態を維持している。長手方向に傾斜したコネクタ８の傾斜高さは、回動軸に近い部分と遠い部分とで大きく異なる。
【００７７】
一端側が持上げられた基板１０は、たとえば基板１０の一部Ｐ１において挿抜治具１２の突出部２２に接触して、Ｘ５−１方向への移動が阻止される。このとき突出部２２の設置高さは、たとえばスペーサ１４に載置された状態の基板１０と、持上げられた基板１０との角度が規定のコジリ角以内になる高さに設定されている。
【００７８】
また、図１４に示す基板１０は、たとえばコネクタ８の近接側が把持され、上方のＸ５−２方向に持上げられている。このとき、基板１０は、コネクタ８の長手方向に対向する端部側に設置されたスペーサ１４の載置面を中心に回動方向に力が加えられる。
【００７９】
このとき基板１０は、その一部分Ｐ２において挿抜治具１２の突出部２２に接触して、Ｘ５−２方向への移動が阻止される。
【００８０】
この挿抜治具１２の突出部２２は、コネクタ８の長手方向に平行して所定の長さＥで形成されている。このコネクタ装置２では、挿抜治具１２に設定された長さＥを利用して、コネクタ４、８の長手方向に規定されたコジリ角の規制を行っている。
【００８１】
図１３および図１４に示すように、突出部２２は、左右の両端部分で基板１０と接触している。そして、挿抜治具１２の左右端部に対して傾斜した基板１０が接触する位置Ｐ１、Ｐ２は、突出部２２の長さＥにより決まる。
【００８２】
基板１０の傾斜角度は、突出部２２との接触位置により変化する。たとえば適正に突出部２２の左右両端の位置が設定されていない場合、一端側が持上げられた基板１０は、突出部２２の左右いずれかの端部に接触するが、そのときの傾斜角度はコジリ角よりも大きくなる場合がある。そこで、突出部２２の左右両端部の位置は、基板１０の傾斜角度が、たとえば回動中心となったコネクタ４、８またはスペーサ１４などに対して、規定のコジリ角以内になるように設定する。そして、突出部２２の長さＥは、この左右両端の基板１０との接触位置Ｐ１、Ｐ２により設定される。
【００８３】
これにより、挿抜治具１２は、基板１０がコネクタ８の長手方向に対して傾斜した場合に、長手方向について規定されたコジリ角を超えるのを規制することができる。
【００８４】
＜コネクタの長手方向に対する挿入状態＞
【００８５】
図１５は、基板の設置手順の一例を示している。
【００８６】
図１５に示すコネクタ装置２では、たとえば基板１０が挿抜治具１２の突出部２２の下方側に挿通させるように配置される。このとき、基板１０の側面の一部を挿抜治具１２の胴体部２０に当接させる。また、基板１０の上面側は、たとえば突出部２２の阻止底部２４に接触させてもよい。これによりコネクタ８は、コネクタ４に対して長手方向に対して平行に配置される。
【００８７】
そして、この基板１０は、基板６に対してＸ６方向に押し下げられる。このとき、たとえば基板１０の左右の一端側のみが押し下げられた場合、挿抜治具１２の阻止底部２４に基板６の一部が接触していることから、基板１０は、図１３または図１４に示す状態となる。したがって、コネクタ装置２では、基板１０が挿抜治具１２に接触することで、コネクタ４とコネクタ８とがコジリ角以内で嵌合される。
【００８８】
挿抜治具１２の突出部２２は、コネクタ８をコネクタ４に対してコジリ角を超えて傾斜するのを阻止するように設定されている。したがって突出部２２の下方に挿通された基板１０が傾斜して基板６側に押し下げられた場合でも、コネクタ４、８がコジリ角以上に傾斜するのを防止できる。さらに、この挿抜治具１２は、規定のコジリ角を超えて傾斜した基板１０が突出部２２の下方に挿通できない構造とすることで、コネクタ４、８がコジリ角を超えて接触するのを阻止することができる。
【００８９】
斯かる構成によれば、一部分が傾斜した基板に対して挿抜治具が接触することで、基板同士が規定角度以上になるのを阻止でき、嵌合している多ピンコネクタの損傷を防止することができる。また、規定角度以上で配置される基板に対し、挿抜治具の突出部を接触させて基板同士のコネクタ接続を阻止することで、規定角度を超えて挿抜されるのを阻止でき、コネクタおよびこれらのコネクタを備えた基板の破損を防止できる。さらに、簡易な挿抜治具の構成により、配置される基板がコネクタ同士の嵌合位置にガイドされ、かつ基板の角度が規定角度以内に規制され、挿抜作業の適正化および容易化が図れる。
【００９０】
〔第２の実施の形態〕
【００９１】
図１６および図１７は、第２の実施の形態に係る電子装置の構成例を示している。図１６に示す構成は一例であり、斯かる構成に本開示の構成が限定されるものではない。図１６および図１７において図１と同様の構成には同一符号を付し、その説明を省略する。
【００９２】
図１６に示す電子装置６０は、複数の基板６、１０同士がコネクタ４、８によって電気的に接続されたコネクタ装置２が形成される。この電子装置６０には、コネクタ４が設置された基板６、コネクタ８が設置された基板１０が備えられ、かつ基板８の着脱のガイド手段として挿抜治具１２が設置されている。この基板６は、たとえば電子装置６０の筐体６２に固定されている。
【００９３】
図１７に示す基板１０は、たとえば基板６の一部に対してコネクタ４、８を嵌合させて基板６の上面側を覆う位置に配置される。この基板６には、たとえば貫通孔７０が複数箇所に形成され、その貫通孔７０にスペーサ６４が挿入される。コネクタ接続された基板１０は、スペーサ６４上に載置されている。基板１０には、スペーサ６４との接触位置に貫通孔が形成されている。そして、この基板１０には、貫通孔内に締結部品６６としてたとえば螺子部品が挿入され、この締結部品６６とスペーサ６４とが締結されて基板１０と基板６とが固着される。
【００９４】
また、電子装置６０の筐体６２には、固定孔６８がスペーサ６４の配置位置に応じて形成されており、貫通孔７０を貫通したスペーサ６４によって基板６が筐体６２に固着される。
【００９５】
また電子装置６０には、挿抜される基板１０の一部が規定のコジリ角を超えて傾斜されるのを阻止する挿抜治具１２を備えている。この挿抜治具１２は、基板１０の設置位置に応じて立設され、着脱される基板１０の一部に接触してコネクタ８がコネクタ４に対して規定角度を超えて嵌合されるのを阻止している。
【００９６】
その他、筐体６２には、たとえば電子装置６０の側面または前面筐体となる立壁部８０が形成されている。この立壁部８０の先端側には、たとえば筐体６２の上面側を覆う図示しない筐体カバーに接触させて係止する係止片８２が形成されている。また、この立壁部８０には、たとえば電子装置６０の操作手段や表示手段、または光学式媒体を利用するためのＯＤＤ（Optical Disc Drive）などを配置させて保持する窓部８４、８６、８８が形成されている。
【００９７】
なお、図１７に示す電子装置６０では、基板６、１０が平面方向に設置される場合を示したが、これに限られない。この電子装置６０では、たとえば基板６、１０を鉛直方向に立設するように配置する場合も含まれる。
【００９８】
この電子装置６０には、たとえば基板１０の一端の淵縁部にコネクタ８が設置されている。そして、挿抜治具１２は、この基板１０に対し、コネクタ８の短手方向および長手方向に対向する一端側、すなわち対角方向に配置されている。
【００９９】
図１８および図１９は、基板の一端を傾斜させた状態例を示している。
【０１００】
図１８に示す基板１０は、コネクタ８が設置された端部に対し、たとえばコネクタ８が短手方向に傾斜するように他端側が持上げられた状態となっている。そして他端側が持上げられた基板１０は、その一部が挿抜治具１２の阻止底部２４に接触される。このときコネクタ４、８との間には、たとえばコジリ角によって嵌合状態が解除されたことを示す離間部９０が形成される。また、持上げられた基板１０の一端側には、たとえば基板１０とスペーサ６４との間に傾斜による隙間９２、９４、９６が形成される。
【０１０１】
図１９に示す基板１０は、コネクタ８が設置された端部に対し、たとえばコネクタ８が長手方向に傾斜するように他端側が持上げられた状態となっている。そして基板１０の一端が持上げられると、基板１０の一部が挿抜治具１２の突出部２２の一部に接触する。このときコネクタ４、８の一部には、コネクタの長手方向に、コジリ角によって形成された離間部１００が形成される。また、持上げられた基板１０の一端側には、基板１０とスペーサ６４との間に隙間１０２、１０４が形成される。
【０１０２】
このような構成において、基板６と基板１０は、たとえば既述の図６ないし図１５に示す状態で挿抜が行われる。
【０１０３】
斯かる構成によれば、立設された挿抜治具が挿抜される基板に接触し、基板が規定のコジリ角を超えて傾斜するのを阻止することで、嵌合するコネクタの損傷が防止され、電子装置６の正常動作が維持される。また簡易な構造の挿抜治具により、コネクタを所定の嵌合位置にガイドでき、かつ基板の接触角度が規定角度以内に規制され、挿抜作業の適正化および容易化が図れる。
【０１０４】
〔第３の実施の形態〕
【０１０５】
図２０は、第３の実施の形態に係る電子装置の構成例を示している。図２０において、図１６ないし図１９に示す構成と同一部材については、同一の符号を付し、説明を省略する。
【０１０６】
第１の実施の形態のコネクタ装置２および第２の実施の形態の電子装置６０では、挿抜治具１２の胴体部２０がコネクタ４、８の長手方向に平行となるように設置されている。これに対し、第３の実施の形態では、挿抜治具１２は、その胴体部２０がコネクタ８の短手方向に対して平行になるように設置されている。
【０１０７】
この挿抜治具１２は、基板１０の挿抜処理において、たとえばコネクタ８の短手方向について左右に傾斜した場合には、コネクタ８の短手方向の設定されたコジリ角に基づいて突出部２２の長さＥ（図１３、図１４）が設定される。そして、この挿抜治具１２は、たとえば突出部２２の左右端が傾斜した基板１０に接触することで、コジリ角を超えて基板１０およびコネクタ８が傾斜して挿抜されるのを阻止する。
【０１０８】
また、コネクタ８の長手方向について左右に傾斜した場合、この挿抜治具１２は、たとえばコネクタ８側の回動中心から挿抜治具１２までの長さから、突出部２２の配置高さが算出される。そして、この突出部２２が基板１０の一部に接触して、基板１０やコネクタ８が規定のコジリ角を超えて傾斜するのを阻止する。
【０１０９】
〔第４の実施の形態〕
【０１１０】
図２１は、第４の実施の形態に係る電子装置の構成例を示している。図２１に示す構成は一例であって、斯かる構成に本発明が限定されるものではない。また、図２１において、図１６ないし図１９に示す構成と同一部分については、同一の符号を付し、説明を省略する。
【０１１１】
図２１に示す電子装置６０には、たとえば横幅を狭小に形成した挿抜治具１１０が複数設置されている。この挿抜治具１１０は、たとえば既述のように、基板１０を当接させて配置位置にガイドする胴体部２０（図２）や傾斜した基板１０の一部に接触させてコネクタ４、８挿抜を阻止する突出部２２が形成されている。
【０１１２】
この挿抜治具１１０の突出部２２（図２）の高さは、たとえば既述のように、コネクタ４、８の短手方向または長手方向に設定されたコジリ角や、挿抜治具１１０の設置位置とコネクタ４、８までの距離Ｌ（図３）に基づいて算出すればよい。
【０１１３】
また、電子装置６０には、たとえばコネクタ４、８の長手方向に対する傾斜に対して、少なくとも２個以上の挿抜治具１１０が設置されている。この長手方向に対するコネクタ４、８に対する傾斜の規制では、既述のように、左右方向に傾斜した基板１０に対してコネクタ４、８のコジリ角を満たす左右の位置に、挿抜治具１１０を配置すればよい。
【０１１４】
斯かる構成によっても、基板が規定されたコジリ角を超えて傾斜されるのを阻止でき、嵌合しまたは接触するコネクタ４、８の損傷を防止できる。また、挿抜作業の適正化および容易化を図ることができる。
【０１１５】
〔第５の実施の形態〕
【０１１６】
図２２ないし図２４は、第５の実施の形態に係る挿抜治具の構成例を示している。図２２ないし図２４に示す構成は一例であって、斯かる構成に本発明が限定されるものではない。
【０１１７】
図２２に示す挿抜治具１２０Ａは、傾斜した基板１０に対して接触する突出部１２６の配置高さを設定可能にする設定機構を備えている。この挿抜治具１２０Ａは、たとえばコネクタ装置２（図１）や電子装置６０（図１７）の筐体６２または被挿抜部材である第１の基板６に対して固定され、立設する脚部１２２を備えている。また、この脚部１２２には、たとえば中央部側に図示しない胴体部が形成されている。また、脚部１２２または胴体部の背面側には、突出部１２６が形成された本体部１２４が設置されている。この本体部１２４には、たとえば両端側に長円穴のガイド溝１２８が１または複数箇所に形成されている。このガイド溝１２８には、たとえば脚部１２２または胴体部を貫通させて固定する締結部品１３０が設置されている。この締結部品１３０は、たとえば表面部分に螺子構造が形成され、脚部１２２と本体部１２４を締結する。
【０１１８】
これにより、挿抜治具１２０Ａは、たとえば締結部品１３０による固定を解除することで、脚部１２２に対して本体部１２４を上下方向に移動可能としている。そして、挿抜治具１２０Ａでは、たとえば挿抜されるコネクタ４、８に規定されたコジリ角に応じて、本体部１２４をガイド溝１２８に対して上下させ、締結部品１３０により締結する。
【０１１９】
また図２３に示す挿抜治具１２０Ｂには、既述のように脚部１２２や本体部１２４が設置されている。この本体部１２４には、たとえば高さ設定機構としてガイド溝１４０が形成されている。このガイド溝１４０には、たとえば「Ｅ」の字状に形成され、横方向に向けて本体部１２４の配置高さを段階的に設定可能にする係止溝１４２が形成されている。
【０１２０】
このように係止溝１４２が形成されることで、たとえば挿抜治具１２０Ｂの左右の高さを容易に一致させることができる。また、たとえば規定のコジリ角以上に傾斜した基板が突出部１２６の阻止底部や阻止辺部、載置部に接触した場合でも、過大な負荷によって本体部１２４が下方や上方に移動するのを防止できる。すなわち、ガイド溝１４０を「Ｅ」字状に形成することで、係止溝１４２の辺によって負荷を支えることが可能となる。
【０１２１】
なお、係止溝１４２の数は、図示したように「Ｅ」の字状の３つに限られず、少なくとも２以上であればよく、その数を増減させてもよい。
【０１２２】
さらに図２４に示す挿抜治具１２０Ｃには、高さ設定機構として本体部１２４に例えば左右方向に段差状態となるガイド溝１５０が形成されている。このガイド溝１５０は、たとえばクランク状に形成されており、本体部１２４の高さを段階的に上下させるほか、本体部１２４を左右方向にも変移可能としている。
【０１２３】
ガイド溝１５０を備えた挿抜治具１２０Ｃは、たとえば既述のようにコネクタの長手方向に対するコジリ角制御において、位置決めされた脚部１２２から独立して、傾斜した基板との接触位置を調整することが可能となる。
【０１２４】
また、上記のように挿抜治具１２０Ａ、１２０Ｂ、１２０Ｃは、図２５に示すように、脚部１２２の設置位置が決められた場合、そのときの基板１０に対するコジリ角に応じて本体部１２４の高さを設定することができる。これにより、コネクタ装置２内において挿抜治具１２０Ａ、１２０Ｂ、１２０Ｃの設置位置が限られる場合でも、基板１０およびコネクタ４、８に対するコジリ角を規定値内に規制でき、利便性が高められる。
【０１２５】
〔第６の実施の形態〕
【０１２６】
図２６は、第６の実施の形態に係る挿抜治具の構成例を示している。
【０１２７】
この挿抜治具１６０は、たとえば突出部１６８の高さ方向への設定機構とともに、突出部１６８の突出量の設定機構を備えている。この挿抜治具１６０には、たとえば図示しない胴体部の背面側に本体部１６２が鉛直方向に設置されている。この本体部１６２は、既述のようにガイド溝１２８が形成され、脚部１２２に向けて締結部品１３０を貫通させて固定されている。この本体部１６２の天井側の先端部は、たとえば挿抜治具１６０の後方に向けて折り返された載置片１６４が形成されている。
【０１２８】
この載置片１６４の上面側には、突出部１６８を形成する「Ｌ」字型の突出部材１６６が載置されている。この突出部材１６６には、載置辺１６４との接触面側にガイド溝１７４が形成されている。また、載置片１６４には、たとえば図示しない貫通孔が形成されている。ガイド溝１７４には、たとえば載置片１６４の貫通孔側に向けて軸部材１７６が貫通している。この軸部材１７６は、たとえば突出部材１６６をガイド溝１７４内で前後方向（Ｚ方向）に変移可能にするとともに、載置片１６４と突出部材１６６とを締結する。
【０１２９】
斯かる構成によれば、突出部１６８の突出量ａ（図４）の設定も可能になる。そして、この挿抜治具１６０は、たとえば電子装置６０内における配置状態や、挿抜される基板１０の形状などに応じて突出量を調整でき、基板がコジリ角を超えて傾斜するのを阻止することができるので、利便性が高められる。また、締結部品１３０や軸部材１７６を抜き取ることにより挿抜治具１６０を複数の部品に分解可能となっている。
【０１３０】
〔他の実施の形態〕
【０１３１】
(1)  上記実施の形態では、突出部２２は、たとえば挿抜治具１２の先端側を前方に折曲げ、逆「Ｊ」の字形に形成された場合を示したがこれに限られない。たとえば図２７に示す挿抜治具１２は、たとえば胴体部２０の上側に幅広な部材で形成した突出部２２を設置してもよい。斯かる構成によっても上記の挿抜治具１２と同様の効果が得られる。
【０１３２】
(2)  上記実施の形態では、挿抜治具１２、１１０、１２０Ａ、１２０Ｂ、１２０Ｃ、１６０がスペーサ１４、６４を介して基板６に固定される場合を示したがこれに限られない。コネクタ装置２や電子装置６０では、基板６に対してスペーサ１４、６４の設置位置から独立して挿抜治具１２、１２０Ａ、１２０Ｂ、１２０Ｃ、１６０を設置してもよい。
【０１３３】
(3)  上記実施の形態では、たとえば基板１０においてコネクタ８が設置された端部の対角上に離間した他端側に挿抜治具１２、１１０、１２０Ａ、１２０Ｂ、１２０Ｃ、１６０を設置した場合を示したがこれに限られない。たとえば基板１０に対して、コネクタ８の長手方向または短手方向に平行する他端に挿抜治具１２、１２０Ａ、１２０Ｂ、１２０Ｃ、１６０を設置してもよい。
【０１３４】
以上説明したように、本開示のコネクタ装置、挿抜治具および電子機器の好ましい実施の形態などについて説明したが、本発明は、上記記載に限定されるものではなく、特許請求の範囲に記載され、又は発明を実施するための形態に開示された発明の要旨に基づき、当業者において様々な変形や変更が可能であることは勿論であり、斯かる変形や変更が、本発明の範囲に含まれることは言うまでもない。
【符号の説明】
【０１３５】
２  コネクタ装置
４  第１のコネクタ
６  第１の基板
８  第２のコネクタ
１０  第２の基板
１２、１１０、１２０Ａ、１２０Ｂ、１２０Ｃ、１６０  挿抜治具
１４、６４  スペーサ
１６、６６、１３０  締結部品
１８、６２  筐体
２０  胴体部
２２、１２６、１６８  突出部
２４  阻止底部
２６  阻止辺部
２８  載置部
３０、１２２  脚部
３２  固定面
３４、７０  貫通孔
４０、４４  ピンガイド
４２、４６  ケース部
４８  係止凹部
５０  係止凸部
６０  電子装置
６８  固定孔
８０  立壁部
８２  係止片
９０、１００  離間部
９２、９４、９６、１０２、１０４  隙間
１２４、１６２  本体部
１２８、１４０、１５０、１７４  ガイド溝
１４２  係止溝
１６４  載置片
１６６  突出部材
１７６  軸部材
【図１】
0005803612.tif 000002
【図２】
0005803612.tif 000003
【図３】
0005803612.tif 000004
【図４】
0005803612.tif 000005
【図５】
0005803612.tif 000006
【図６】
0005803612.tif 000007
【図７】
0005803612.tif 000008
【図８】
0005803612.tif 000009
【図９】
0005803612.tif 000010
【図１０】
0005803612.tif 000011
【図１１】
0005803612.tif 000012
【図１２】
0005803612.tif 000013
【図１３】
0005803612.tif 000014
【図１４】
0005803612.tif 000015
【図１５】
0005803612.tif 000016
【図１６】
0005803612.tif 000017
【図１７】
0005803612.tif 000018
【図１８】
0005803612.tif 000019
【図１９】
0005803612.tif 000020
【図２０】
0005803612.tif 000021
【図２１】
0005803612.tif 000022
【図２２】
0005803612.tif 000023
【図２３】
0005803612.tif 000024
【図２４】
0005803612.tif 000025
【図２５】
0005803612.tif 000026
【図２６】
0005803612.tif 000027
【図２７】
0005803612.tif 000028
【図２８】
0005803612.tif 000029
【図２９】
0005803612.tif 000030